(57)【要約】【課題】腕木の取付角度の調整を新築時及び経年後の補修時の双方の時点で可能となる構造でとし、腕木に取り付ける外装ユニットなどの垂れ下りを防止し建物の見栄えの良い状態とすること。【解決手段】屋外側面の下方側に腕木１０を固定した取付板１１の下方側の貫通穴１８から回転工具と接合可能な接合部８ｃを有する一方の雄ねじ部８ａを軒梁３の屋外側面から突出させ、他方の雄ねじ部８ｂを前記軒梁３の屋外側面側に開口した雌ねじ部８ａに螺着させてなる綴ねじ８の前記一方の雄ねじ部８ａと他方の雄ねじ部８ｂの境界に設けてある鍔部７を前記取付板１１の屋内側面１１ｂに当接させるように配置し、前記貫通穴１８からの一方の雄ねじ部８ａの屋外側面１１ａからの突出部分に螺合したナット１６と前記鍔部７によって前記取付板１１を挟んで固定してなる腕木１０の軒梁３への取付構造１としたこと。【選択図】  図８
2018021341.tif 000002
【特許請求の範囲】
【請求項１】
屋外側面の下方側に腕木を固定した取付板を有する腕木本体の前記取付板の屋内側面を軒梁の屋外側面に当接し、前記腕木本体の取付板と前記軒梁を挟んで対面する裏当部材の裏当板とを締付固定部材によって締付固定してなる腕木の前記軒梁への取付構造であって、
前記取付板の下方側の貫通穴から回転工具と接合可能な接合部を有する一方の雄ねじ部を屋外側面から突出させ、他方の雄ねじ部を前記軒梁の屋外側面側に開口した雌ねじ部に螺着させてなる綴ねじの前記一方の雄ねじ部と他方の雄ねじ部の境界に設けてある鍔部を前記取付板の屋内側面に当接させるように配置し、
前記貫通穴からの一方の雄ねじ部の屋外側面からの突出部分に螺合したナットと前記鍔部によって前記取付板を挟んで固定してなる腕木の軒梁への取付構造。
【請求項２】
前記軒梁の屋外側面側に開口した雌ねじ部が、前記軒梁の屋外側面に設けた堀込窪みに形成されたものであることを特徴とする請求項１に記載の腕木の軒梁への取付構造。
【請求項３】
前記軒梁の屋外側面側に開口した雌ねじ部が、前記軒梁の屋外側面に設けた堀込窪みに嵌め込んだ調整スペーサに形成されたものであることを特徴とする請求項１に記載の腕木の軒梁への取付構造。
【請求項４】
前記調整スペーサは、前記軒梁の長手方向に対してその長手方向が傾斜して嵌め込まれていることを特徴とする請求項３に記載の腕木の軒梁への取付構造。
【請求項５】
前記雌ねじ部の開口面と前記軒梁の屋外側面の距離が、前記鍔部の厚みと同じ長さであることを特徴とする請求項１乃至４のいずれか一項に記載の腕木の軒梁への取付構造。
【請求項６】
前記締付固定部材は、前記取付板、前記軒梁及び前記裏当板に形成している通し穴挿通するボルトと、該ボルトの前記裏当板から突出するねじ部に螺合するナットであることを特徴とする請求項１乃至５のいずれかに記載の腕木の軒梁への取付構造。
【請求項７】
前記裏当板の屋内側面に補強材を設けたことを特徴とする請求項１乃至６のいずれか１項に記載の腕木の軒梁への取付構造。
【請求項８】
屋外側面の下方側に腕木を固定した取付板を有する腕木本体の前記取付板の屋内側面を軒梁の屋外側面に当接し、前記腕木本体の前記取付板と前記軒梁を挟んで対面する裏当部材の裏当板とを締付固定部材によって締付固定してなる腕木の軒梁への取付金具であって、
前記取付板の下方側に開けた貫通穴から突出させた回転工具と接合可能な接合部を有する一方の雄ねじ部と鍔部を挟んで設けられた他方の雄ねじ部を前記軒梁の屋外側面側に開口した雌ねじ部に螺着させてなる綴ねじと、前記取付板の屋内側面に当接している前記鍔部によって屋内方向への移動を阻止された前記取付板を屋外方向への移動を阻止するように前記一方の雄ねじ部の前記取付板の前記貫通穴からの突出部に螺合締付するナット、を具備してなることを特徴とする腕木の軒梁への取付金具。
【請求項９】
前記軒梁の屋外側面側に開口した雌ねじ部が、前記軒梁の屋外側面に設けた堀込窪みに形成されたものであることを特徴とする請求項８に記載の腕木の軒梁への取付金具。
【請求項１０】
前記軒梁の屋外側面側に開口した雌ねじ部が、前記軒梁の屋外側面に設けた堀込窪みに嵌め込んだ調整スペーサに形成されたものであることを特徴とする請求項８に記載の腕木の軒梁への取付金具。
【請求項１１】
前記雌ねじ部の開口面と前記軒梁の屋外側面の距離が、前記鍔部の厚みと同じ長さであることを特徴とする請求項８乃至１０のいずれか一項に記載の腕木の軒梁への取付金具。
【請求項１２】
前記締付固定部材は、前記取付板、前記軒梁及び前記裏当板に形成している通し穴に挿通するボルトと、該ボルトの前記裏当板から突出するねじ部に螺合するナットであることを特徴とする請求項８乃至１１のいずれかに一項に記載の腕木の軒梁への取付金具。
【請求項１３】
前記裏当板の屋内側面に補強材を設けたことを特徴とする請求項８乃至１２のいずれか一項に記載の腕木の軒梁への取付金具。
【発明の詳細な説明】
【技術分野】
【０００１】
この発明は、軒梁を有する建物の腕木の軒梁への取付構造と、この取付構造に使用する腕木の軒梁への取付金具に関し、特に、腕木に取付ける庇等の外装ユニット部材の垂れを調整できる腕木の軒梁への取付構造と取付金具に関する。
【背景技術】
【０００２】
腕木に取付けた庇、ベランダ、屋根材などの外装ユニット部材は、建物に対して直角方向に取付固定され、且つ、全体の美観の調和が取れるように設計され施工されている。
【０００３】
しかしながら、外装ユニット部材の取付精度は、躯体側となる腕木の取付精度に大きく依存している。更に、腕木の取付躯体となる梁自身も控え梁等で転びの抑制は図っているが、多くの要因の影響を複合的に受けることによって、腕木取付面の転び等の影響が発生している。この要因の主なものとしては、基礎の天端寸法、梁を支持する柱の材長精度やそり等、腕木を取付ける梁や周辺に架構される梁の材長や金物取付位置精度等である。
【０００４】
このような状況も考慮した場合、腕木の取付、庇などの外装ユニット部材の取付の後から仕上げ前までの間に水平精度を確保するための調整機構が求められている。とくに、梁等が木製である木造躯体に対してはその木造躯体面の変形等も考慮した対応が求められている。
【０００５】
上記のような要請に対して、鋼製躯体に対する調整機構としては、鋼製躯体に取付られた腕木部材に固定ボルトで吊り下げられた軒先ユニットの取付角度を角度調整ボルトによって変更調整できる軒先ユニットの調整装置が公知である（例えば特許文献１）。
【先行技術文献】
【特許文献】
【０００６】
【特許文献１】特開２０１２−５２３５３号公報
【発明の概要】
【発明が解決しようとする課題】
【０００７】
しかしながら、前記従来技術によると、腕木自体の梁などの躯体に対する取付角度の調整装置ではなく、腕木に取付ける庇などの外装ユニット部材の腕木に対する取付角度の調整であるので、直接に腕木に取付ける外装ユニット部材の場合には適用できないという問題点がある。さらに、梁などの躯体が木製である場合には、腕木の取付金具にかかる外装ユニット部材の荷重によって、経年と共に躯体表面にめり込みや木痩せが生じるため、より一層、梁などの躯体に対する腕木の取付角度の調整が可能となる腕木の梁などの躯体への取付構造が望まれている。そして、この腕木の取付角度の調整は新築時及び経年後の補修時の双方の時点で可能となる構造が望まれている。
【課題を解決するための手段】
【０００８】
この発明は、上記事情に鑑みてなされたものであって、その手段とするところは、屋外側面の下方側に腕木を固定した取付板を有する腕木本体の前記取付板の屋内側面を軒梁の屋外側面に当接し、前記腕木本体の取付板と前記軒梁を挟んで対面する裏当部材の裏当板とを締付固定部材によって締付固定してなる腕木の前記軒梁への取付構造であって、
前記取付板の下方側の貫通穴から回転工具と接合可能な接合部を有する一方の雄ねじ部を屋外側面から突出させ、他方の雄ねじ部を前記軒梁の屋外側面側に開口した雌ねじ部に螺着させてなる綴ねじの前記一方の雄ねじ部と他方の雄ねじ部の境界に設けてある鍔部を前記取付板の屋内側面に当接させるように配置し、前記貫通穴からの一方の雄ねじ部の屋外側面からの突出部分に螺合したナットと前記鍔部によって前記取付板を挟んで固定してなる腕木の軒梁への取付構造としたところにある。
【０００９】
前記軒梁の屋外側面側に開口した雌ねじ部が、前記軒梁の屋外側面に設けた堀込窪みに形成されたものであることにある。また、前記軒梁の屋外側面側に開口した雌ねじが、前記軒梁の屋外側面に設けた堀込窪みに嵌め込んだ調整スペーサに形成されたものであることにある。更に、前記調整スペーサは、前記軒梁の長手方向に対してその長手方向が傾斜して嵌め込まれていることにある。そして、前記雌ねじ部の開口面と前記軒梁の屋外側面の距離が、前記鍔部の厚みと同じ長さであることにある。
【００１０】
前記締付固定部材は、前記取付板、前記軒梁及び前記裏当板に形成している通し穴挿通するボルトと、該ボルトの前記裏当板から突出するねじ部に螺合するナットであることにある。また、前記裏当板の屋内側面に補強材を設けたことにある。
【００１１】
こ発明の腕木と軒梁との取付金具は、前記腕木と軒梁との取付構造において使用する金具としたことにある。
【発明の効果】
【００１２】
この発明によると、腕木本体の取付板と軒梁の間に綴ねじの鍔部を介在させ、この鍔部を綴ねじの回転によって鍔部を屋外方向へ移動させることができるので、腕木本体の取付板の下方を屋外方向へ押圧することができる。これによって、この腕木本体の腕木の軒梁に対する取付角度を最適な状態に調整できるため、新築時、経年後のいずれの時点においても外観の見栄えの良好な建物を維持することができる。しかもこの取付角度の調整は雄ねじ部の取付板の屋外側面からの突出部分で回転工具によって可能であるので、調整作業が屋外側からの一人で調整を行いながら調整状況の確認が行える。
【００１３】
前記雌ねじ部が、軒梁の屋外側面に設けた掘込窪みに形成する場合には、軒梁が鋼製の時にはそのまま雌ねじ部を軒梁に刻み、軒梁が木製の場合には、内部に雌ねじを刻んだ円筒ねじを埋め込んで固定することになる。この掘込窪みの深さは、雌ねじの開口面と軒梁の屋外側面との距離であるが、これを前記鍔部の厚みと同じとすることによって、取付板の屋内側面と軒梁の屋外側面とは全面密着している状態となり、調整が不要な時はこの状態に維持することができる。掘込窪みの深さが、鍔部の厚さよりも大きい場合には調整時に綴ねじの無駄な回転をしなければならない場合が生じるが使用は可能である。しかし、深さが逆の場合には、軒梁と裏当板との間に隙間が生じるので好ましくはない。
【００１４】
前記雌ねじが、掘込窪みに嵌め込んだ調整スペーサに形成した場合には、調整スペーサは掘込窪みに入って自身は回転しないので、前記綴ねじの他方の雄ねじ部はこの調教スペーサの雌ねじ部に螺着して屋外方向へ移動する。この場合でも、前記と同じ理由により調整スペーサの雌ねじの開口面と軒梁の屋外側面との距離は鍔部の厚さと同じにしておくことが望ましい。
【００１５】
前記調整スペーサの長手方向を軒梁の長手方向に傾斜する方向になるように掘込穴と当接した場合には、軒梁が木製の時に木の繊維質が長手方向に延びているので調整スペーサがこの繊維質との交差する面積が多くなって取付板からの反力によるめり込みが生じにくくなる。また、斜めにプレートを配置することで狭い範囲で軒梁に形成する通し穴を多く確保できる。
【００１６】
前記締付固定部材が、腕木本体と裏当部材とを真中に軒梁を挟んでボルトとナットで締付固定した場合には、ナットを締め付け又は緩めただけの作業で取付又は取外しが出来るので作業が簡単である。更に又、前記裏当部材を構成する裏当板に補強材を設けた場合には裏当板を補強できる。
【００１７】
前記腕木の軒梁への取付金具は、鋼製、木製を問わず全ての軒梁に適用することができ、又、新築の建物には勿論のこと経年の建物にもリフォーム時に取付けすることができる利点がある。
【図面の簡単な説明】
【００１８】
【図１】腕木の軒梁への取付構造の実施形態断面説明図。
【図２】腕木の軒梁への取付金具の取付状態の分解斜視説明図（その１）。
【図３】腕木の軒梁への取付金具の取付状態の分解斜視説明図（その２）。
【図４】腕木の軒梁への取付金具を軒梁に取付た状態の要部斜視図（その３）。
【図５】腕木の軒梁への取付金具の軒梁取付正面図。
【図６】腕木の軒梁への取付金具の軒梁取付平面図。
【図７】腕木の軒梁への取付金具の他の実施形態の軒梁取付平面図。
【図８】図１の丸印の拡大断面説明図。
【図９】図８の丸印の他の実施形態の拡大断面説明図。
【発明を実施するための形態】
【００１９】
この発明の腕木の軒梁への取付構造１の実施形態について、以下図に基づいて説明する。この腕木の軒梁への取付構造１を構成する腕木の軒梁への取付金具２は、図１〜４に示されるように、軒梁３を挟んで軒梁３に取付ける腕木本体４と裏当部材５、これら軒梁３、腕木本体４、裏当部材５を締付固定する締付固定部材６、及び腕木本体４を軒梁３の屋外側面から離反する方向へ押圧する鍔部７を有する綴ねじ８を主な構成要素とする。
【００２０】
前記腕木本体４は、軒先方向に延出する庇、ベランダ、屋根部材などの外装ユニット部材９を固定する長尺な腕木１０と、腕木１０の根元となる端部を直角方向に溶接などによって屋外側面１１ａに固定している取付板１１を有している。前記腕木１０は、先端が低くなるように緩い傾斜を上方に形成しているがこれに限定されるものではない。腕木１０の固定位置は取付板１１の屋外側面１１ａの中央下方として、外装ユニット部材９の荷重が取付板１１の中央下方に掛るようにしている。この実施形態においては腕木１０を取付けるために中央を下方へ細長く延出させた延出部１１ｃを形成している。又、図２に良く現れているように、この腕木１０の取付位置の両側上方にはそれぞれ縦方向に等間隔で複数の通し穴１２が形成されている。更に、図１に良く現れているように、腕木１０にも軒先方向へ延びる部材を固定するための通し穴１２が必要個数設けられている。
【００２１】
前記取付板１１の大きさや形状はとくに限定されるものではないが、軒梁３の高さと略同等か望ましい。横方向の幅長さもとくに限定されることはないが、取付板１１の面積が大きくなれば、荷重の受け止め面積が大きくなるので軒梁３が木製の場合にはめり込みや木痩せの発生がより少なくなり大きい方が望ましい。
【００２２】
前記裏当部材５は、図６、図７に良く表れているように、取付板１１に形成した通し穴１２に対向する位置に通し穴１２を形成した裏当板１３とこの裏当板１３の一側から直角方向に補強板１４を設けてなる。前記裏当板１３の大きさや形状はとくに限定されるものではないが、取付板１１と対をなして軒梁３を両側面から挟み締付固定することから、軒梁３に当接する長さがほぼ同じであることが望ましい。この実施形態では、１つの取付板１１に対して横幅の小さい裏当板１３を２組使用したが、裏当板１３の横幅を取付板１１と同じ１枚ものの板材であっても良い。又、補強板１４は必ずしも設ける必要はないが、設けた時には裏当板１３の補強に加えて、図２等に示されるように取付板１１の軒梁３の対向面となる屋内側面に控え梁３ａを配置した構造の場合には、この控え梁３ａの両側を挟むように配置してそれぞれの部材に形成した穴にボルト１５を挿通してナット１６で締付固定すれば強固な取付構造を得られる。更に又、裏当板１３と補強板１４の端部との上方をＬ字型板材１７で固定すればより強固な構造となる。
【００２３】
前記綴ねじ８は、図８、図９に良く表れているように前記取付板１１に開口した貫通穴１８から一方の雄ねじ部８ａを屋外側面１１ａから突出させて他方の雄ねじ部８ｂとの境界に設けられて外周方向へ突出している鍔部７を屋内側面１１ｂに当接させると共に他方の雄ねじ部８ｂを軒梁３の屋外側面側に開口している雌ねじ部１９に螺着させている。屋外側面１１ａから突出した一方の雄ねじ８ａの先端面には回転工具Ａと接合可能な接合部８ｃを形成しており、これによって作業者が屋外側から回転工具Ａを用いて綴ねじ８を回転させて雌ねじ部１９と螺着している他方の雄ねじ部８ｂしいては綴ねじ８の屋外方向への移動を可能にしている。
【００２４】
更に又、他方の雄ねじ部８ｂが螺着する雌ねじ部１９は軒梁３の屋外側面に形成された掘込窪み２０内に設けられている。この掘込窪み２０は、図８によく現れているように、屋外側面から浅く掘られた窪みであって、その内部には雌ねじ部１９を形成した調整スペーサ２１が嵌め込まれている。この調整スペーサ２１の厚さは掘込窪み２０の深さより短くして調整スペーサ２１の表面と軒梁３の屋外側面との間に前記鍔部７の厚さに相当する空隙Ｂを設けるようにしている。又、掘込窪み２０の調整スペーサ２１の雌ねじ部１９の位置に相当する部位には他方の雄ねじ部８ｂが雌ねじ部１９にねじ込まれた際にその先端側を収納できる収納穴２２が軒梁３内に形成されている。更に、この調整スペーサ２１には軒梁３に形成されている通し穴１２と連通する通し穴１２が形成されている。調整スペーサ２１の大きさと形状は前記雌ねじ部１９と通し穴１２を形成することができればとくに限定されるものではないが、軒梁３が木製の場合には、綴ねじ８を回転させた時に調整スペーサ２１に屋外方向へ作用する力によって軒梁３の長手方向に通っている木の繊維と交差して軒梁３への調整スペーサ２１のくい込みを少なくするようある程度の長さと面積を有していることが望ましい。
【００２５】
前記軒梁３の屋外側面側に開口する雌ねじ部１９は、掘込窪み２０に嵌め込まれる調整スペーサ２１に代えて、軒梁３が鋼製の場合には、図９に示すように、掘込窪み２０から軒梁３に直接に形成してもよい。この場合には、掘込窪み２０の深さである空隙Ｂは、つまり軒梁３の屋外側面と掘込窪み２０の底面との距離は鍔部７の厚さと略同等とするのが望ましい。このようにすることによって、調整スペーサ２１を用いた場合と同様に綴ねじ８を締め切った場合においては軒梁３の屋外側面と取付板１１の屋内側面１１ａとが密接できる状態となる。又、軒梁３が木製の場合には、雌ねじ部１９を内部に形成している円筒ねじを掘込窪み２０の底面にその開口部が表れるようにして軒梁３に埋め込むようにしてもよい。
【００２６】
前記した腕木本体４、軒梁３及び裏当部材５を締付固定する締付固定部材６は、この実施形態において具体的にはボルト１５とナット１６である。しかしこれに限定されることなく、例えば前記３つの部材をワイヤーなどの長尺部材で締付固定してもよい。ボルト１５は、取付板１１の通し穴１２、軒梁３の通し穴１２及び裏当板１３の通し穴１２に挿通したボルト１５の裏当板１３からの突出したねじ部１５ａにナット１６を螺合して締め付けて固定する。前述したように、取付板１１には腕木１０の根元の両側に縦方向に１列が３個の２列の通し穴１２を形成しているが、このうち最下方の通し穴１２に対応する軒梁３の通し穴１２は、掘込窪み２０に形成した通し穴１２と連通するようにしている。掘込窪２０に調整スペーサ２１を嵌入した場合には、この調整スペーサ２１に形成した通し穴１２にボルト１５が挿通されるので、調整スペーサ２１はこのボルト１５と前記綴ねじ８の他方の雄ねじ部８ｂの雌ねじ部１９への螺着によって掘込窪み２０内における軒梁３に対する方向位置が一定に保たれている。従って、軒梁３が木製の場合で木の繊維方向と交差する方向に設置された調整スペーサ２１はその姿勢を維持し続けることができるので、掘込窪２０の底面にくい込みにくい状態を維持できる。
【００２７】
上記の腕木１０の軒梁３への取付構造１は図１等に示す通りであるが、図１では１つの腕木本体４の取付板１１を軒梁３に取付ける例を示しているが、通常は１つの外装ユニット部材９を支持するためには３つの腕木本体４を軒梁３に取付けて支持している。このような腕木の軒梁への取付後における施工される周辺の部材について図１に基づいて説明すると、内壁２３は軒梁３等の躯体部に固定され、外壁２４は図外の躯体部に固定されており、その一部にスリット状の開口部２４ａが設けられて、ここから腕木１０が外側へ突出している。この開口部２４ａと腕木１０の上方に設置されている外装ユニット９の間隙からの雨水の浸入を防止する水切り２５が設けられている。腕木１０に設けてある通し穴１２には図外のボルトで固定されている外装ユニット部材９の骨組みであるＣ形鋼２６の下方には軒裏天井部材２７を取付けるための補助取付部材２８が設けられている。更に前記外装ユニット部材９の軒先端には樋２９が設けられ、補助取付部材２８の軒先端には化粧板３０が設けられている。
【００２８】
次に、この腕木の軒梁３への取付構造１の取付手順と作用について説明する。この取付構造１を組立てるには、軒梁３の屋外側面に腕木本体４の取付板１１の屋内側面１１ｂを当接するが、この時、軒梁３の屋外側面に形成している堀込窪２０みに調整スペーサ２１を使用する場合にはあらかじめ嵌め込んでおき、且つ、綴ねじ８の他方の雄ねじ部８ｂを調整スペーサ２１又は軒梁３に形成した雌ねじ部１９に螺着して鍔部７が空隙Ｂの内部に納まるようにしておく。そして、軒梁３の屋外側面から突出している一方の雄ねじ部８ａを取付板１１の貫通穴１８に通して屋外側面１１ａから突出させてナット１６を緩く締め付けておく。
【００２９】
そして、取付板１１の屋外側面１１ａからそれぞれの通し穴１２にボルト１５を差し込んで軒梁３の通し穴１２を突き抜けたその先端を更に裏当板１３の通し穴１２に通して突出したねじ部１５ａにナット１６を締め付け固定することで腕木本体４、軒梁３及び裏当部材５を一体的に締付固定する。又、控え梁３ａが軒梁３の屋内側面の２つの裏当部材５の中央に位置して２つの補強板１４によって挟まれる場合には、図７に示すように、これらの部材をボルト１５とナット１６によって締め付け固定すればより一層強固な取付構造とすることができる。
【００３０】
上記のようにして取付が完了すると、外装ユニット部材９の調整をする。通常、１つの外装ユニット部材９は３本の腕木１０によって支持されているので、３つの腕木本体１０が軒梁３に取付けられている。そして、これら腕木１０の傾きすなわち軒梁３に対する取付角度は、本来は同一にならなければならないが、前述したような諸要因によって必ずしも同じにはならないために調整する必要がある。この調整は３つの腕木１０内最も下方に位置している腕木１０を有する腕木本体４の取付板１１の屋外側面１１ａから突出している綴ねじ８の一方の雄ねじ部８ａに設けてある接合部８ｃに回転工具Ａを接合させて回転させ、これによって軒梁３の堀込窪み２０に嵌め込まれている調整スペーサ２１又は軒梁３に直接に形成されている雌ねじ部１９に螺着している他方の雄ねじ部８ｂも回転して取付板１１の屋内側面１１ｂに当接している鍔部７が取付板１１ｂを屋外方向へ押圧する。取付板１１は締付固定部材６によって軒梁３及び裏当部材５と一体的に締付固定されているので、下方のみが屋外方向へ押圧されて軒梁３の室外側面から離反し、これに伴って腕木１０の取付角度が上向きに調整される。この調整作業が終了した後、仮締めしていたナット１６を取付板１１の屋外側面１１ａに当接するまで締め付けて作業が完了する。
【００３１】
このようにして３つの腕木１０の傾きが同じようになるように調整するが、この調整は最も傾きの小さい腕木１０を傾きの大きい腕木１０に合わせるようにすることが望ましい。こうすることによって、綴ねじ８は常時その反力として屋内方向へ押圧されるので、取付板１１の屋内側面１１ｂと鍔部７とは常に密接した状態を維持し続ける。これによって、外装ユニット部材９はその取付姿勢を設計通りに外観上美しく維持できることに加えて、軒梁３に対する取付板１１の押圧力も均等化されることになって軒梁３が木製の場合であってもめり込みや木痩せを防止できる。このような腕木１０の軒梁３に対する取付角度の調整は屋外方向から回転工具Ａを用いて行うことができるので、建物が完成した後であっても容易に行うことが可能である。更に又、既存の建物の外装ユニット部材９を補修又は取り換える場合においてもこの腕木の軒梁３の取付金具２を用いた腕木の軒梁３への取付構造１を採用することは可能である。
【産業上の利用可能性】
【００３２】
新築の建物は勿論のこと既存の建物へも適用が可能であるので、応用範囲に利用できる。
【符号の説明】
【００３３】
１  腕木の軒梁への取付構造
２  腕木の軒梁への取付金具
３  軒梁
４  腕木本体
５  裏当部材
６  締付固定部材
７  鍔部
８  綴ねじ
８ａ  一方の雄ねじ
８ｂ  他方の雄ねじ
８ｃ  接合部
９  外装ユニット部材
１０  腕木
１１  取付板
１２  通し穴
１３  裏当板
１４  補強板
１５  ボルト
１６  ナット
１８  貫通孔
１９  雌ねじ部
２０  掘込窪み
２１  調整スペーサ
【図１】
2018021341.tif 000003
【図２】
2018021341.tif 000004
【図３】
2018021341.tif 000005
【図４】
2018021341.tif 000006
【図５】
2018021341.tif 000007
【図６】
2018021341.tif 000008
【図７】
2018021341.tif 000009
【図８】
2018021341.tif 000010
【図９】
2018021341.tif 000011
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
屋外側面の下方側に腕木を固定した取付板を有する腕木本体の前記取付板の屋内側面を軒梁の屋外側面に当接し、前記腕木本体の取付板と前記軒梁を挟んで対面する裏当部材の裏当板とを締付固定部材によって締付固定してなる腕木の前記軒梁への取付構造であって、
前記取付板の下方側の貫通穴から回転工具と接合可能な接合部を有する一方の雄ねじ部を屋外側面から突出させ、他方の雄ねじ部を前記軒梁の屋外側面側に開口した雌ねじ部に螺着させてなる綴ねじの前記一方の雄ねじ部と他方の雄ねじ部の境界に設けてある鍔部を前記取付板の屋内側面に当接させるように配置し、
前記貫通穴からの一方の雄ねじ部の屋外側面からの突出部分に螺合したナットと前記鍔部によって前記取付板を挟んで固定してなり、
前記綴ねじは、前記締付固定部材よりも下方側において、屋外方向へ移動可能に前記他方の雄ねじ部が前記雌ねじ部に螺着している腕木の軒梁への取付構造。
【請求項２】
前記軒梁の屋外側面側に開口した雌ねじ部が、前記軒梁の屋外側面に設けた堀込窪みに形成されたものであることを特徴とする請求項１に記載の腕木の軒梁への取付構造。
【請求項３】
前記軒梁の屋外側面側に開口した雌ねじ部が、前記軒梁の屋外側面に設けた堀込窪みに嵌め込んだ調整スペーサに形成されたものであることを特徴とする請求項１に記載の腕木の軒梁への取付構造。
【請求項４】
前記調整スペーサは、前記軒梁の長手方向に対してその長手方向が傾斜して嵌め込まれていることを特徴とする請求項３に記載の腕木の軒梁への取付構造。
【請求項５】
前記雌ねじ部の開口面と前記軒梁の屋外側面の距離が、前記鍔部の厚みと同じ長さであることを特徴とする請求項１乃至４のいずれか一項に記載の腕木の軒梁への取付構造。
【請求項６】
前記締付固定部材は、前記取付板、前記軒梁及び前記裏当板に形成している通し穴に挿通するボルトと、該ボルトの前記裏当板から突出するねじ部に螺合するナットであることを特徴とする請求項１乃至５のいずれかに記載の腕木の軒梁への取付構造。
【請求項７】
前記裏当板の屋内側面に補強材を設けたことを特徴とする請求項１乃至６のいずれか１項に記載の腕木の軒梁への取付構造。
【請求項８】
屋外側面の下方側に腕木を固定した取付板を有する腕木本体の前記取付板の屋内側面を軒梁の屋外側面に当接し、前記腕木本体の前記取付板と前記軒梁を挟んで対面する裏当部材の裏当板とを締付固定部材によって締付固定してなる腕木の軒梁への取付金具であって、
前記取付板の下方側に開けた貫通穴から突出させた回転工具と接合可能な接合部を有する一方の雄ねじ部と鍔部を挟んで設けられた他方の雄ねじ部を前記軒梁の屋外側面側に開口した雌ねじ部に螺着させてなる綴ねじと、前記取付板の屋内側面に当接している前記鍔部によって屋内方向への移動を阻止された前記取付板を屋外方向への移動を阻止するように前記一方の雄ねじ部の前記取付板の前記貫通穴からの突出部に螺合締付するナット、を具備してなり、
前記綴ねじは、前記締付固定部材よりも下方側において、屋外方向へ移動可能に前記他方の雄ねじ部が前記雌ねじ部に螺着していることを特徴とする腕木の軒梁への取付金具。
【請求項９】
前記軒梁の屋外側面側に開口した雌ねじ部が、前記軒梁の屋外側面に設けた堀込窪みに形成されたものであることを特徴とする請求項８に記載の腕木の軒梁への取付金具。
【請求項１０】
前記軒梁の屋外側面側に開口した雌ねじ部が、前記軒梁の屋外側面に設けた堀込窪みに嵌め込んだ調整スペーサに形成されたものであることを特徴とする請求項８に記載の腕木の軒梁への取付金具。
【請求項１１】
前記雌ねじ部の開口面と前記軒梁の屋外側面の距離が、前記鍔部の厚みと同じ長さであることを特徴とする請求項８乃至１０のいずれか一項に記載の腕木の軒梁への取付金具。
【請求項１２】
前記締付固定部材は、前記取付板、前記軒梁及び前記裏当板に形成している通し穴に挿通するボルトと、該ボルトの前記裏当板から突出するねじ部に螺合するナットであることを特徴とする請求項８乃至１１のいずれか一項に記載の腕木の軒梁への取付金具。
【請求項１３】
前記裏当板の屋内側面に補強材を設けたことを特徴とする請求項８乃至１２のいずれか一項に記載の腕木の軒梁への取付金具。
【手続補正２】
【補正対象書類名】明細書
【補正対象項目名】０００８
【補正方法】変更
【補正の内容】
【０００８】
この発明は、上記事情に鑑みてなされたものであって、その手段とするところは、屋外側面の下方側に腕木を固定した取付板を有する腕木本体の前記取付板の屋内側面を軒梁の屋外側面に当接し、前記腕木本体の取付板と前記軒梁を挟んで対面する裏当部材の裏当板とを締付固定部材によって締付固定してなる腕木の前記軒梁への取付構造であって、
前記取付板の下方側の貫通穴から回転工具と接合可能な接合部を有する一方の雄ねじ部を屋外側面から突出させ、他方の雄ねじ部を前記軒梁の屋外側面側に開口した雌ねじ部に螺着させてなる綴ねじの前記一方の雄ねじ部と他方の雄ねじ部の境界に設けてある鍔部を前記取付板の屋内側面に当接させるように配置し、前記貫通穴からの一方の雄ねじ部の屋外側面からの突出部分に螺合したナットと前記鍔部によって前記取付板を挟んで固定してなり、前記綴ねじは、前記締付固定部材よりも下方側において、屋外方向へ移動可能に前記他方の雄ねじ部が前記雌ねじ部に螺着している腕木の軒梁への取付構造としたところにある。
【手続補正３】
【補正対象書類名】明細書
【補正対象項目名】００１０
【補正方法】変更
【補正の内容】
【００１０】
前記締付固定部材は、前記取付板、前記軒梁及び前記裏当板に形成している通し穴に挿通するボルトと、該ボルトの前記裏当板から突出するねじ部に螺合するナットであることにある。また、前記裏当板の屋内側面に補強材を設けたことにある。